(57)【要約】【課題】ベランダの手摺、物干し竿等の支持体に掛けて干されている布団が風を受けてまくれたときでも、布団挟みが外れて布団が飛ばされることのないようにする。【解決手段】雌ねじ（３）を備えた中空杆（１）の一端にハンドル（５）を固定し、該中空杆には該中空杆と略直角方向の第一挟持体（７）を該中空杆の中心を回転中心として回転自在且つ該中空杆の長さ方向に移動自在に取り付け、略Ｌ字状の第二挟持体（１１）の一端には該中空杆の雌ねじに対応する雄ねじ（１３）を備えさせ、第二挟持体（１１）の雄ねじを中空杆（１）の雌ねじに螺合させ、ハンドルにより中空杆（１）を第二挟持体（１１）に対して所定の方向に回転させたときに第一挟持体（７）がハンドル（５）により第二挟持体（１１）に接近する方向に押されるようにしたことを特徴とする布団挟み。【選択図】図１
2005245935.tif 000002
【特許請求の範囲】
【請求項１】
雌ねじを備えた中空杆の一端にハンドルを固定し、該中空杆には該中空杆と略直角方向の第一挟持体を該中空杆の中心を回転中心として回転自在且つ該中空杆の長さ方向に移動自在に取り付け、略Ｌ字状の第二挟持体の一端には該中空杆の雌ねじに対応する雄ねじを備えさせ、第二挟持体の雄ねじを中空杆の雌ねじに螺合させ、ハンドルにより中空杆を第二挟持体に対して所定の方向に回転させたときに第一挟持体がハンドルにより第二挟持体に接近する方向に押されるようにしたことを特徴とする布団挟み。
【発明の詳細な説明】
【技術分野】
【０００１】
本発明は、布団挟みに関するものであり、更に詳しくは、布団をベランダの手摺、物干し竿等の支持体に掛けて干す際に、該布団を該支持体に固定するための布団挟みに係るものである。
【背景技術】
【０００２】
布団挟みとしては、意匠登録第１１１４６０３号公報に示すように、一対の挟持片をその一端にて開閉自在に相互に枢着し、ばねにより各挟持片を閉じる方向に付勢してなるものが従来より使用されている。
【０００３】
上記従来の布団挟みは、布団をベランダの手摺、物干し竿等の支持体に掛けた状態で、該布団を一対の挟持片によりばねの力で支持体上に挟み付けるようにしたものである。
【特許文献１】意匠登録第１１１４６０３号公報
【発明の開示】
【発明が解決しようとする課題】
【０００４】
しかるに、上記従来の布団挟みには、下記の如き問題がある。
【０００５】
（イ）ばねにより与えられる挟持片の挟持力が十分ではないため、支持体に掛けて干されている布団が風を受けてまくれたときに、布団挟みが外れ、布団が飛ばされることが往々にしてある。
【０００６】
（ロ）ばねにより与えられる挟持片の挟持力は上述の如く十分ではないのであるが、他方、挟持片を布団に挟み付ける際に該挟持片を手で開くには大きな力が要求される。従って、比較的力の弱い人、特に一部の女性や子供にとっては、布団挟みの挟持片を手で開く作業は困難である。
【０００７】
（ハ）ベランダの手摺等の支持体の幅が広い場合には、布団挟みの挟持片を手で開く作業が一層困難になるだけでなく、該支持体の幅が一定限度を越すときには挟持片により布団を挟持することが不可能となる。
【０００８】
（ニ）逆に、支持体の幅が極めて狭い場合には、布団を挟持したときの挟持片の挟持力は小さくなる。
【０００９】
本発明は、上記従来の布団挟みにおける上述の如き問題を解決しようとしてなされたものである。
【課題を解決するための手段】
【００１０】
上記課題を解決するために、本発明は下記の布団挟みを提供する。
【００１１】
雌ねじを備えた中空杆の一端にハンドルを固定し、該中空杆には該中空杆と略直角方向の第一挟持体を該中空杆の中心を回転中心として回転自在且つ該中空杆の長さ方向に移動自在に取り付け、略Ｌ字状の第二挟持体の一端には該中空杆の雌ねじに対応する雄ねじを備えさせ、第二挟持体の雄ねじを中空杆の雌ねじに螺合させ、ハンドルにより中空杆を第二挟持体に対して所定の方向に回転させたときに第一挟持体がハンドルにより第二挟持体に接近する方向に押されるようにしたことを特徴とする布団挟み。
【００１２】
［発明の作用］
本発明の布団挟みにより布団をベランダの手摺、物干し竿等の支持体に固定する際には、支持体に掛けた布団を第一挟持体と第二挟持体との間に位置させた状態でハンドルにより中空杆を第二挟持体に対して所定の方向に回転させる。しかるときは、中空杆は、第二挟持体に対し、ハンドルが第二挟持体に接近する方向に動く結果、第一挟持体がハンドルにより第二挟持体に接近する方向に押されるため、布団は第一挟持体と第二挟持体との間に強力に挟持される。
【００１３】
第一挟持体は中空杆の中心を回転中心として回転自在であるため、中空杆が回転しても第一挟持体が中空杆と共に回転することはない。即ち、第一挟持体がハンドルにより押されて布団に食い込んだときでも、第一挟持体が回転する中空杆と共に回転することはない。
【００１４】
布団が第一挟持体と第二挟持体との間に挟持されているときには、第二挟持体の雄ねじは中空杆の雌ねじに螺合しており、第一挟持体は該中空杆の一端に固定されたハンドルにより第二挟持体から離れる方向に動くことが阻止されているため、第一挟持体と第二挟持体とによる布団の挟持が緩むことはない。
【００１５】
布団挟みを布団から取り外す際には、ハンドルにより中空杆を第二挟持体に対して前記と反対の方向に回転させる。しかるときは、中空杆は、第二挟持体に対し、ハンドルが第二挟持体から離れる方向に動くため、第一挟持体は布団から離れる方向に動かすことが可能となる。即ち、布団挟みを布団から取り外すことができる。
【００１６】
第一挟持体と第二挟持体との間の間隔は、第二挟持体に対し中空杆を進退させることにより、調節することができるため、支持体の幅、布団の厚さ等の如何にかかわりなく、布団を第一挟持体と第二挟持体との間に確実に挟持することができる。
【発明の効果】
【００１７】
本発明によれば、第二挟持体の雄ねじは中空杆の雌ねじに螺合しており、該中空杆を回転させることにより該中空杆に取り付けられた第一挟持体を第二挟持体に接近する方向に動かして、布団を第一挟持体と第二挟持体との間に挟持させるようにしているため、布団は第一挟持体と第二挟持体との間に強力に挟持され、その挟持が緩むこともない。従って、支持体に掛けて干されている布団が風を受けてまくれたときでも、布団挟みが外れて布団が飛ばされるようなことはない。
【００１８】
支持体に掛けた布団に対する布団挟みの着脱は、中空杆をハンドルにより回転させて第一挟持体と第二挟持体との間の間隔を変えることにより、行なうことができる。従って、布団挟みを支持体に掛けた布団に着脱する作業は、大きな力を必要とするものではなく、力の弱い女性、子供等でも容易にこれを行なうことができる。
【００１９】
第一挟持体と第二挟持体との間の間隔は、第二挟持体に対し中空杆を進退させることにより、調節することができるため、支持体の幅、布団の厚さ等の如何にかかわりなく、布団を第一挟持体と第二挟持体との間に確実に挟持することができる。
【発明を実施するための最良の形態】
【００２０】
符号１に示すものは中空杆である。中空杆１には雌ねじ３を備えさせる。中空杆１の一端にはハンドル５を固定する。ハンドル５は中空杆１に対し回転不能である。
【００２１】
中空杆１には該中空杆１と略直角方向の第一挟持体７を取り付ける。第一挟持体７は、中空杆１の中心を回転中心として回転自在且つ中空杆１の長さ方向（図１、図２における左右方向）に移動自在とする。
【００２２】
即ち、一例として、第一挟持体７には中空杆１の外径よりも大きな内径を有する透孔９を備えさせ、該透孔９に中空杆１を挿通させる。
【００２３】
符号１１に示すものは略Ｌ字状の第二挟持体である。第二挟持体１１の一端には中空杆１の雌ねじ３に対応する雄ねじ１３を備えさせる。
【００２４】
第二挟持体１１の雄ねじ１３を中空杆１の雌ねじ３に螺合させる。
【００２５】
ハンドル５により中空杆１を第二挟持体１１に対して所定の方向に回転させたときに第一挟持体７がハンドル５により第二挟持体１１に接近する方向に押されるようになす。
【００２６】
図２は、ベランダの手摺１５に掛けた布団１７を布団挟みにより挟持している状態を示す。
【図面の簡単な説明】
【００２７】
【図１】本発明による布団挟みの一例を示す側面図である。
【図２】同上布団挟みの使用状態を示す側面図である。
【符号の説明】
【００２８】
１  中空杆
３  雌ねじ
５  ハンドル
７  第一挟持体
９  透孔
１１  第二挟持体
１３  雄ねじ
１５  手摺
１７  布団
【図１】
2005245935.tif 000003
【図２】
2005245935.tif 000004